(57)【要約】【課題】頭が滑ったり、寝返りを打った拍子に仰向けにひっくり返ってしまうことがないように、ペットを包み込むような形で、ペットがリラックスした状態で安心して頭部を預けられるペット用枕とする。【解決手段】  枕本体２の長手方向の一側縁Ｅから他側縁Ｅ’方向に凹むように凹入部３が形成され、この凹入部３の周縁がペット頭部の載置領域４とする。【選択図】図１
0003132426.tif 000002
【実用新案登録請求の範囲】
【請求項１】
枕本体（２）の長手方向の一側縁（Ｅ）から他側縁（Ｅ’）方向に凹むように凹入部（３）が形成され、この凹入部（３）の周縁がペット頭部（ＰＨ）の載置領域（４）とされていることを特徴とするペット用枕。
【請求項２】
枕本体（２）が湾曲した形状とされ、その湾曲内面側で構成される凹入部（３）の周縁がペット頭部（ＰＨ）の載置領域（４）とされていることを特徴とするペット用枕。
【請求項３】
枕本体（２）は、凹入部（３）が存在する側よりも、その反対側の枕高さ（Ｈ）が高くなっていることを特徴とする請求項１または２に記載のペット用枕。
【請求項４】
ペット頭部（ＰＨ）の載置領域（４）に隣接して上方に突出する突起部（５）が設けられていることを特徴とする請求項１〜３の何れか１項に記載のペット用枕。
【請求項５】
枕本体（２）の長手方向の中途部（６）を胴部とし、端部（７，８）を前脚や後脚とし、突起部（５）を頭部とする動物などのキャラクターの姿態を模した装飾が施されていることを特徴とする請求項４項に記載のペット用枕。
【考案の詳細な説明】
【技術分野】
【０００１】
本考案は、犬や猫などのペットが使用するペット用枕に関するものである。
【背景技術】
【０００２】
従来、主として屋内で飼育されるペットが使用する寝具として、例えば特許文献１のような猫用ベッドが提案されている。この猫用ベッドは、猫が寝そべるクッション部と、その周囲に形成された土手状の枕部からなる座布団様のもので、猫が好んで寝そべることができるというものである。
このように、ペット用のベッドに枕が付随したものが従来より種々存在するが、ベッド自体が嵩張ってしまうので、ペット用寝具として枕のみの物も市販されている。かかるペット用枕は、キャラクターデザインを施すなど、ペットの飼い主の購買意欲をそそるための工夫はなされているが、ペットの習性を充分考慮したものは存在しなかった。
【特許文献１】特許第３４１７９２３号公報（第１頁、第４図）
【考案の開示】
【考案が解決しようとする課題】
【０００３】
犬や猫などのペットは、通常は顎を枕の上に載せて若干頭を持ち上げた状態で寝ることが多いが、人と同様に寝返りも打つ。
しかし、従来のペット用枕は、ペット用と称するも結局のところは人間用の枕とさ程変わり映えのしない、基本的な形状は単なる「俵形」の領域を出ないものであった。
従って、図４（ａ）のように、ペット（犬）Ｐが枕１０１に頭を載せて、すやすやと気持ち良く寝ていても、図４（ｂ）のように頭が滑ったり、寝返りを打った拍子に仰向けにひっくり返ってしまうなど、ペットがリラックスした状態で安心して顎を含む頭部を預けられる代物ではなかった。
【０００４】
そこで、本考案は、ペットを包み込むような形で、ペットがリラックスした状態で安心して顎を含む頭部を預けられるペット用枕を提供することを目的とする。
【課題を解決するための手段】
【０００５】
本考案は上記の目的を達成するために以下の技術的手段を講じた。
すなわち、本考案に係るペット用枕は、枕本体の長手方向の一側縁から他側縁方向に凹むように凹入部が形成され、この凹入部の周縁がペット頭部の載置領域とされていることを特徴とする。
この構成により、凹入部の周縁の載置領域に載せたペット頭部は、凹入部の周縁により包み込まれるようにサポートされ、枕本体から頭部が滑ったり、ひっくり返ることを防止でき、ペットがリラックスした状態で安心して顎を含む頭部を預けられるペット用枕とすることができる。
【０００６】
また、本考案に係るペット用枕は、枕本体が湾曲した形状とされ、その湾曲内面側で構成される凹入部の周縁がペット頭部の載置領域とすることもできる。
この構成によれば、前記構成と同様、凹入部の周縁の載置領域に載せたペット頭部は、凹入部の周縁により包み込まれるようにサポートされ、枕本体から頭部が滑ったり、ひっくり返ることを防止でき、ペットがリラックスした状態で安心して顎を含む頭部を預けられるペット用枕とすることができる。しかも、枕本体が湾曲した形状とされているので、ペット用枕は床面に対して転がり難く安定して設置することができる。
【０００７】
さらに、枕本体は、凹入部が存在する側よりも、その反対側の枕高さを高くすることもできる。この構成を採用すれば、ペット用枕をペットの寝姿にフィットさせることができ、より安定した状態でペット頭部を含む身体を包み込むような形で安定して保持できる。
また、ペット頭部の載置領域に隣接して上方に突出する突起部を設けても良い。この突起部は、載置領域のペット頭部から見て左右両端側に２つ設けることもできるが、どちらかに１つ設ければ充分である。このような突起部が設けられていると、寝返りなどでペットの頭部が枕本体上で多少動いても、突起部が頭部を支え、或いは不用意な頭部の動きを規制することができ、枕からの落下を防止することができる。
【０００８】
そして、上記のような突起部を設けた場合には、その突起部を含む外観の輪郭形状を利用して、例えば、枕本体の長手方向の中途部を胴部とし、端部を前脚や後脚とし、突起部を頭部とする動物などのキャラクターの姿態を模した装飾が施すことが可能である。これによって、実用的なペット用枕でありながら、親近感のある縫いぐるみ様の枕とすることができる。
なお、上記において「ペット頭部」とは、犬や猫などのペットの「頭」は勿論、一般に頭部に含まれる「顎」や「顔面」或いは「首」から「肩」付近なども含み得る広い概念を意味する。
【考案の効果】
【０００９】
本考案によれば、ペットを包み込むような形で、ペットがリラックスした状態で安心して頭部を預けられるペット用枕とすることができる。
【考案を実施するための最良の形態】
【００１０】
以下、図面を参照しながら本考案の実施の形態を説明する。
図１〜３に示すように、本考案のペット用枕１は、枕本体２の長手方向の一側縁Ｅから他側縁Ｅ’方向に凹むように凹入部３が形成されている。そして、この凹入部３の周縁、より具体的には凹入部３の周縁の上方辺りの部分がペット頭部ＰＨの載置領域４とされている。
換言すれば、枕本体２が平面視でＵ字状に湾曲した形状とされ、その湾曲内面側で凹入部３が構成され、その周縁がペット頭部ＰＨの載置領域４とされている。
【００１１】
従って、図３（ａ）に示すように、凹入部３の周縁の載置領域４にペットＰがその頭部ＰＨを載せると、ペット頭部ＰＨは、凹入部３の周縁により包み込まれるようにサポートされ、枕本体２から頭部が滑ったり、ひっくり返ることを防止でき、ペットＰが非常にリラックスした状態で安心して顎ＰＪを含む頭部ＰＨを預けられるペット用枕１とすることができる。しかも、枕本体２を湾曲した形状とすることで、ペット用枕１は床面に対して転がり難く安定して設置することができる。
なお、枕本体２は、図１のような長手方向の両側縁Ｅ，Ｅ’が共に湾曲した曲線を描くような平面視Ｕ字形状ではなく、長手方向の一側縁Ｅが他側縁Ｅ’方向に凹むようにして凹入部３が形成されるが、一側縁Ｅのみが曲線状をなして他側縁Ｅ’が直線状となるような平面視で概ね扁平な直方体のマット形状としても良い。
【００１２】
また、図２から明らかなように、枕本体２は、凹入部３が存在する一側縁Ｅ側の枕高さｈよりも、その反対側（他側縁Ｅ’側）の枕高さＨが高くしている。この高さの変化は、側縁Ｅ側から他側縁Ｅ’側方向に漸次高くなるようにすることが望ましい。これにより、ペット用枕１をペットの寝姿にフィットさせることができ、より安定した状態でペット頭部ＰＨを含む身体を包み込むような形で安定して保持できる。
さらに、枕本体２には、ペット頭部ＰＨの載置領域４に隣接して上方に突出するように突起部５が設けられている。本実施形態では、この突起部５は、載置領域４の一方端側にのみ、枕本体２の一部が膨隆するような形状で突設されている。
【００１３】
このような突起部５が設けられていると、図３（ｂ）に示すように、寝返りなどでペットＰの頭部ＰＨが枕本体２上で多少動いても、突起部５が頭部ＰＨを支え、或いは不用意な頭部ＰＨの動きを規制することができ、ペット用枕１からの落下するのを防止することができる。
なお、ペット頭部ＰＨを載置した状態において、載置領域４のペット頭部ＰＨから見て左右端側にそれぞれに１個づつ設け、突起部５により載置領域４の左右を囲うような形状とすることもできる。
【００１４】
ところで、本考案のペット用枕１は、フリースなどの表面が起毛した肌触りの良い素材で外側を作成し、中身はウレタンフォームなどの弾力のある素材で形成されている。ただし、表面素材はフリース以外の布帛や皮革などの各種素材のものを使用することができる。また、中身の詰め物もウレタンフォームに限らず、通常のクッションや枕の詰め物として使用されるパンヤやそば殻などを使用することができ、脱臭作用のある炭素材や癒し効果のあるトルマリンなどを適宜含有させることもできる。
さらに、上述したような、枕本体２が湾曲した形状とされ、その湾曲内面側で構成される凹入部３の周縁がペット頭部ＰＨの載置領域４とし、当該載置領域４に隣接して上方に突出する突起部５が設けられた形状のペット用枕１の場合においては、突起部５を含む輪郭形状を利用することで、次のような装飾を施すことが可能である。
【００１５】
すなわち、枕本体２の長手方向の中途部６を胴部とし、一方の端部７を例えば前脚とし、他方の端部８を例えば後脚とし、突起部５を頭部とする動物などのキャラクターの姿態を模した形状とすることができる。これによって、実用的なペット用枕１でありながら、親近感のある縫いぐるみ様の枕とすることができる。
【図面の簡単な説明】
【００１６】
【図１】本考案の一実施形態の斜視図である。
【図２】図１のＩＩ−ＩＩ線断面図である。
【図３】本考案の一実施形態の使用状態説明図である。
【図４】従来のペット用枕の使用状態説明図である。
【符号の説明】
【００１７】
１    ペット用枕
２    枕本体
３    凹入部
４    載置領域
５    突起部
６    長手方向の中途部
７    一方の端部
８    他方の端部
Ｅ    一側縁
Ｅ’  他側縁
ＰＨ  ペット頭部
【図１】
0003132426.tif 000003
【図２】
0003132426.tif 000004
【図３】
0003132426.tif 000005
【図４】
0003132426.tif 000006